(57)【要約】【課題】製造コストの低減化を図ることができる自動販売機を提供すること。【解決手段】形成された前面開口が扉体８０により開閉される直方状の本体キャビネット１を備え、該本体キャビネット１の内部に収納された商品を販売する自動販売機において、本体キャビネット１は、平板状の断熱ボード２１，３１，４１，７１の一面を鋼板２２，３２，４２，７２で覆うことにより形成されたパネル同士を互いの鋼板２２，３２，４２，７２の一部をラップさせて締結材Ｔにて締結させることにより構成されたものである。上記パネルは、断熱ボード２１，３１，４１，７１と鋼板２２，３２，４２，７２とをそれぞれ両面テープ３３等により予め接合した後、締結材Ｔにて本体キャビネット１を形成することができる。【選択図】図２
2015032150.tif 000002
【特許請求の範囲】
【請求項１】
形成された前面開口が扉体により開閉される直方状の本体キャビネットを備え、該本体キャビネットの内部に収納された商品を販売する自動販売機において、
前記本体キャビネットは、平板状の断熱材の一面を鋼板で覆うことにより形成されたパネル同士を互いの鋼板の一部をラップさせて締結材にて締結させることにより構成されたことを特徴とする自動販売機。
【請求項２】
前記パネルは、前記断熱材と前記鋼板とが両面テープにより接合されて形成されたことを特徴とする請求項１に記載の自動販売機。
【請求項３】
前記パネルは、前記断熱材と前記鋼板とが接着材により接合されて形成されたことを特徴とする請求項１に記載の自動販売機。
【請求項４】
前記パネルは、前記鋼板をカラー鋼板で構成したことを特徴とする請求項１〜３のいずれか一つに記載の自動販売機。
【請求項５】
前記パネルの断熱材は、前記パネル同士を嵌合するへこみ部を有することを特徴とする請求項１〜４のいずれか一つに記載の自動販売機。
【発明の詳細な説明】
【技術分野】
【０００１】
本発明は、自動販売機に関し、より詳細には、形成された前面開口が扉体により開閉される直方状の本体キャビネットを備え、該本体キャビネットの内部に収納された商品を販売する自動販売機に関するものである。
【背景技術】
【０００２】
例えば瓶入り飲料やペットボトル入り飲料等の種々の商品を販売する自動販売機は、筐体となる本体キャビネットを有している。本体キャビネットは、前面に開口が形成された直方状を成しており、この開口を開閉する扉体が取り付けられている。
【０００３】
かかる本体キャビネットは、複数の鋼板を適宜組み合わせることによって構成したもので、より具体的には、上壁、一対の側壁、底壁及び背壁を溶接により接合して構成したものである。ここで一対の側壁は、それぞれ底壁より下方に延在しており、互いの間に台座壁を溶接にて接合してある。そして、上壁、一対の側壁、底壁及び背壁の内壁面に予め板状に成形した断熱ボードを配設することで内部に断熱構造の商品収容庫を構成するようにしている（例えば、特許文献１参照）。
【先行技術文献】
【特許文献】
【０００４】
【特許文献１】特開２００６−３５０８５７号公報
【発明の概要】
【発明が解決しようとする課題】
【０００５】
ところが、上述した自動販売機では、本体キャビネットが複数の鋼板を溶接により接合して構成されたものなので、鋼板同士を接合するための特有の設備が必要になるとともに、本体キャビネットの剛性を確保するために多くの補強部材が必要となっていた。また、鋼板同士を溶接により接合するので、鋼板自体にも溶接を行い得るのに十分な厚みを必要としていた。そのため、鋼板を薄くすることは困難であり、しかも溶接を行うための特有の設備を必要としつつ多くの補強部材を必要とすることから、製造コストの増大化を招来するものであった。
【０００６】
本発明は、上記実情に鑑みて、製造コストの低減化を図ることができる自動販売機を提供することを目的とする。
【課題を解決するための手段】
【０００７】
上記目的を達成するために、本発明に係る自動販売機は、形成された前面開口が扉体により開閉される直方状の本体キャビネットを備え、該本体キャビネットの内部に収納された商品を販売する自動販売機において、前記本体キャビネットは、平板状の断熱材の一面を鋼板で覆うことにより形成されたパネル同士を互いの鋼板の一部をラップさせて締結材にて締結させることにより構成されたことを特徴とする。
【０００８】
また本発明は、上記自動販売機において、前記パネルは、前記断熱材と前記鋼板とが両面テープにより接合されて形成されたことを特徴とする。
【０００９】
また本発明は、上記自動販売機において、前記パネルは、前記断熱材と前記鋼板とが接着材により接合されて形成されたことを特徴とする。
【００１０】
また本発明は、上記自動販売機において、前記パネルは、前記鋼板をカラー鋼板で構成したことを特徴とする。
【００１１】
また本発明は、上記自動販売機において、前記パネルの断熱材は、前記パネル同士を嵌合するへこみ部を有することを特徴とする。
【発明の効果】
【００１２】
本発明によれば、本体キャビネットは、平板状の断熱材の一面を鋼板で覆うことにより形成されたパネル同士を互いの鋼板の一部をラップさせて締結材にて締結させることにより構成されたので、従来のように溶接等で接合するための特有の設備を必要としない。また、各パネルに用いられる鋼板は、溶接等で接合しないので、その厚みを十分に小さいものとすることができる。更に、各パネルは、断熱材と鋼板とで一体的に構成されているので、それだけで十分な強度を有し、補強部材等を必要としない。従って、特有の設備を必要としないで鋼板の厚みを薄くすることができ、しかも補強部材等を必要としないので、製造コストの低減化を図ることができるという効果を奏する。
【図面の簡単な説明】
【００１３】
【図１】図１は、本発明の実施の形態である自動販売機の正面図である。
【図２】図２は、図１に示した自動販売機を構成する本体キャビネットの斜視図である。
【図３】図３は、図２に示した本体キャビネットの分解斜視図である。
【図４】図４は、図２に示した本体キャビネットを模式的に示す横断面図である。
【図５】図５は、図２に示した本体キャビネットを左方から見た場合を模式的に示す断面側面図である。
【図６】図６は、図２に示した本体キャビネットを前方から見た場合を模式的に示す断面図である。
【図７】図７は、図２に示した本体キャビネットの一部を左斜め後方から見た場合の拡大斜視図である。
【図８】図８は、図２〜図６に示した左側壁パネルの構成を模式的に示す説明図である。
【図９】図９は、本発明の実施の形態である自動販売機の変形例を示すもので、背壁パネルと左側壁パネルとの取付状態を模式的に示す拡大断面図である。
【発明を実施するための形態】
【００１４】
以下に添付図面を参照して、本発明に係る自動販売機の好適な実施の形態について詳細に説明する。
【００１５】
図１は、本発明の実施の形態である自動販売機の正面図である。ここで例示する自動販売機は、種々の商品を販売するもので、本体キャビネット１と扉体８０とを備えて構成してある。
【００１６】
本体キャビネット１は、前面が開口した直方状の筐体であり、その内部に断熱構造の商品収容庫２が配設してある。尚、かかる本体キャビネット１の構成については後述する。
【００１７】
かかる商品収容庫２には、商品ラック３が上下方向に複数段設けてある。商品ラック３は、前後方向に沿った商品収納通路を形成する商品収納コラム４が複数並設されることにより構成されるものである。
【００１８】
扉体８０は、収納扉８１とガラス扉８２とを備えて構成してある。収納扉８１は、本体キャビネット１における商品収容庫２の右方に設けられた収納室５（図２参照）の前方域を覆うのに十分な大きさを有している。この収納扉８１は、本体キャビネット１の前方側右側縁部に収納室５の前方域を開閉可能に取り付けられている。また、収納扉８１の前面には、硬貨を投入するための硬貨投入口８１１、表示手段である金額等表示器８１２、返金操作を行うための返金レバー８１３、硬貨を返却するための返却口８１４、紙幣を挿入するための紙幣挿入口８１５、カードリーダ取付部８１６等が設けられている。
【００１９】
ガラス扉８２は、本体キャビネット１における商品収容庫２の下方前方域、並びにこの商品収容庫２の下方に設けられた機械室６の前方域を閉塞する閉塞部材８３により覆われていない部分、すなわち商品収容庫２のうち商品ラック３が設けられた領域の前方域を覆うのに十分な大きさを有している。このガラス扉８２は、内部を視認させるための断熱ガラスからなる透過部８２１を有しており、本体キャビネット１の前方側左側縁部に商品収容庫２の一部の前方域を開閉可能に取り付けられている。
【００２０】
尚、閉塞部材８３には商品取出口８３１が設けられている。商品取出口８３１は商品取出扉８３２により開閉されるもので、商品ラック３における所定の商品収納コラム４より払い出された商品を取り出させるための開口である。
【００２１】
図２は、図１に示した自動販売機を構成する本体キャビネットの斜視図であり、図３は、図２に示した本体キャビネットの分解斜視図である。図４は、図２に示した本体キャビネットを模式的に示す横断面図であり、図５は、図２に示した本体キャビネットを左方から見た場合を模式的に示す断面側面図であり、図６は、図２に示した本体キャビネットを前方から見た場合を模式的に示す断面図である。図７は、図２に示した本体キャビネットの一部を左斜め後方から見た場合の拡大斜視図である。
【００２２】
これら図２〜図７に示すように、本体キャビネット１は、基台１０と、背壁パネル２０、左側壁パネル３０、右側壁パネル４０、底壁部材５０、右側壁部材６０、天壁パネル７０とを備えて構成してある。
【００２３】
基台１０は、本体キャビネット１の底面を構成する矩形状のもので、鋼板等により構成される堅牢なものである。この基台１０の下面には、複数（図示の例では４つ）の脚部１１が下方に突出する態様で取り付けてある。
【００２４】
背壁パネル２０は、本体キャビネット１の背面の一部を構成するものである。この背面パネルは、平板状の断熱ボード（断熱材）２１に対して、該断熱ボード２１の後面を覆うように平板状の鋼板２２を両面テープを介して接合することにより構成されるものである。ここで背壁パネル２０を構成する鋼板２２の上端部２２１、左端部２２２及び右端部２２３は、それぞれ前方に向けて屈曲されている。また、鋼板２２は、所定の色が付されたカラー鋼板である。
【００２５】
このような背壁パネル２０は、鋼板２２の下端部２２４が基台１０の後端面の左方領域を覆うよう配置され、例えばリベット等の締結材Ｔにより下端部２２４が後端面に締結されることで基台１０に取り付けられている。
【００２６】
左側壁パネル３０は、本体キャビネット１の左側面を構成するものである。この左側壁パネル３０は、図８に示すように、平板状の断熱ボード（断熱材）３１に対して、該断熱ボード３１の左面を覆うように平板状の鋼板３２を両面テープ３３を介して接合することにより構成されるものである。ここで左側壁パネル３０を構成する鋼板３２の上端部３２１、前端部３２２及び後端部３２３は、それぞれ右方に向けて屈曲されている。また、鋼板３２は、所定の色が付されたカラー鋼板である。
【００２７】
このような左側壁パネル３０は、鋼板３２の下端部３２４が基台１０の左端面を覆うよう配置され、例えばリベット等の締結材Ｔにより下端部３２４が左端面に締結されることで基台１０に取り付けられている。この際、断熱ボード３１の下端面が基台１０の上面に接するように配置される。
【００２８】
また、左側壁パネル３０は、次のようにして背壁パネル２０に取り付けられている。基台１０に取り付けられた左側壁パネル３０の鋼板３２の後端部３２３が背壁パネル２０の鋼板２２の左側後面にラップした状態となる。この際、背壁パネル２０の鋼板２２の左端部２２２が左側壁パネル３０の断熱ボード３１の後端部の右面に当接している。そして、ラップした状態となる鋼板３２の後端部３２３と鋼板２２とを例えばリベット等の締結材Ｔにより締結させることで、左側壁パネル３０は、背壁パネル２０に取り付けられている。
【００２９】
右側壁パネル４０は、平板状の断熱ボード（断熱材）４１に対して、該断熱ボード４１の右面を覆うように平板状の鋼板４２を両面テープを介して接合することにより構成されるものである。ここで右側壁パネル４０を構成する鋼板４２の上端部４２１、前端部４２２及び後端部４２３は、それぞれ左方に向けて屈曲されている。また、鋼板４２の下端部４２４は、右方に向けて屈曲されている。また、鋼板４２は、所定の色が付されたカラー鋼板である。
【００３０】
このような右側壁パネル４０は、鋼板４２の下端部４２４が基台１０の上面の所定部位を覆うよう配置され、例えばリベット等の締結材Ｔにより下端部４２４が該所定部位に締結されることで基台１０に取り付けられている。この際、断熱ボード４１の下端面が基台１０の上面に接するように配置される。
【００３１】
また、右側壁パネル４０は、次のようにして背壁パネル２０に取り付けられている。基台１０に取り付けられた右側壁パネル４０の鋼板４２の後端部４２３が背壁パネル２０の鋼板２２の右側後面にラップした状態となる。この際、背壁パネル２０の鋼板２２の右端部２２３が右側壁パネル４０の断熱ボード４１の後端部の左面に当接している。そして、ラップした状態となる鋼板４２の後端部４２３と鋼板２２とを例えばリベット等の締結材Ｔにより締結させることで、右側壁パネル４０は、背壁パネル２０に取り付けられている。
【００３２】
底壁部材５０は、断熱構造を有する矩形状の底壁板５１と、この底壁板５１の左右両端部より下方に向けて延在する脚片５２とを有して構成してある。ここで底壁板５１の左右の長さは、左側壁パネル３０と右側壁パネル４０との離間距離に略等しいものである。
【００３３】
このような底壁部材５０は、底壁板５１の後端部が背壁パネル２０の鋼板２２に接し、底壁板５１の左端部が左側壁パネル３０の断熱ボード３１に接し、かつ底壁板５１の右端部が右側壁パネル４０の断熱ボード４１に接した状態で、脚片５２が基台１０に載置されて配設されている。このとき、背壁パネル２０の断熱ボード２１の下端面が底壁板５１の上面に接している。
【００３４】
右側壁部材６０は、背壁パネル２０、左側壁パネル３０及び右側壁パネル４０で用いられている鋼板と同様にカラー鋼板を屈曲等させて構成されるもので、右側部６１と、上面部６２と、背面部６３とを有している。
【００３５】
右側部６１は、本体キャビネット１の右側面を構成するものである。上面部６２は、右側部６１の上端延部より左方に向けて延在する部位である。背面部６３は、右側部６１の後端延部より左方に向けて延在する部位である。
【００３６】
このような右側壁部材６０は、右側部６１の下端部６１１が基台１０の右端面を覆うよう配置され、例えばリベット等の締結材Ｔにより下端部６１１が右端面に締結されることで基台１０に取り付けられている。
【００３７】
また、基台１０に取り付けられた右側壁部材６０の背面部６３の延在端部６３１が右側壁パネル４０を構成する鋼板４２の後端部４２３にラップした状態となり、該延在端部６３１と後端部４２３とを例えばリベット等の締結材Ｔにより締結させることで、右側壁部材６０は、右側壁パネル４０に取り付けられている。この際、右側壁部材６０の上面部６２の延在端部６２１の端面が右側壁パネル４０の鋼板４２の上端部右面に当接している。
【００３８】
天壁パネル７０は、平板状の断熱ボード（断熱材）７１に対して、該断熱ボード７１の上面を覆うように平板状の鋼板７２を両面テープを介して接合することにより構成されるものである。ここで天壁パネル７０を構成する鋼板７２の前端部７２１及び後端部７２２は、それぞれ下方に向けて屈曲されている。また、鋼板７２は、所定の色が付されたカラー鋼板である。
【００３９】
このような天壁パネル７０は、背壁パネル２０、左側壁パネル３０及び右側壁パネル４０の上端部に載置されることで、鋼板７２の後端部７２２が背壁パネル２０の鋼板２２の後面にラップし、鋼板７２の左端部７２３が左側壁パネル３０の鋼板３２の上端部３２１にラップし、鋼板７２の右端部７２４が右側壁パネル４０の鋼板４２の上端部４２１及び右側壁部材６０の上面部６２の延在端部６２１にラップした状態となる。そして、後端部７２２と鋼板２２とをリベット等の締結材Ｔにより締結させるとともに、左端部７２３と上端部３２１とをリベット等の締結材Ｔにより締結させ、更に右端部７２４と、上端部４２１及び延在端部６２１とをリベット等の締結材Ｔにより締結させることで、天壁パネル７０は、左側壁パネル３０、背壁パネル２０、右側壁パネル４０、右側壁部材６０に取り付けられて、本体キャビネット１が構成される。
【００４０】
このようにして構成される本体キャビネット１では、基台１０により底面が構成され、左側壁パネル３０により左側面が構成され、背壁パネル２０及び右側壁部材６０の背面部６３により背面が構成され、右側壁部材６０の右側部６１により右側面が構成され、天壁パネル７０及び右側壁部材６０の上面部６２により天井面が構成されている。
【００４１】
そして、かかる本体キャビネット１では、基台１０と、背壁パネル２０と、左側壁パネル３０と、右側壁パネル４０と、底壁部材５０とで囲繞される空間に機械室６が構成され、底壁部材５０と、背壁パネル２０と、左側壁パネル３０と、右側壁パネル４０と、天壁パネル７０とで囲繞される空間に商品収容庫２が構成される。また、基台１０と、右側壁パネル４０と、右側壁部材６０とで囲繞される空間に収納室５が構成される。
【００４２】
このような構成を有する自動販売機では、本体キャビネット１が、パネル同士、パネルと右側壁部材６０とを互いの鋼板の一部をラップさせて締結材Ｔにて締結させることにより構成されているので、従来のように溶接等で接合するための特有の設備を必要としない。また、各パネルに用いられる鋼板は、溶接等で接合しないので、その厚みを十分に小さいものとすることができる。更に、各パネルは、断熱材と鋼板とで一体的に構成されているので、それだけで十分な強度を有し、補強部材等を必要としない。
【００４３】
従って、上記自動販売機によれば、特有の設備を必要としないで鋼板の厚みを薄くすることができ、しかも補強部材等を必要としないので、製造コストの低減化を図ることができる。
【００４４】
また、上記自動販売機によれば、各パネルを構成する鋼板は、カラー鋼板を用いているので、塗装を行う必要がなく、これによっても製造コストの低減化を図ることができる。
【００４５】
以上、本発明の好適な実施の形態について説明したが、本発明はこれに限定されるものではなく、種々の変更を行うことができる。
【００４６】
図９は、本発明の実施の形態である自動販売機の変形例を示すもので、背壁パネル２０と左側壁パネル３０′との取付状態を模式的に示す拡大断面図である。
【００４７】
この図９に示すように、左側壁パネル３０′を構成する断熱ボード３１の後端部には、背壁パネル２０の左端部の進入を許容するへこみ部３１１を設け、該へこみ部３１１に背壁パネル２０の左端部を進入させて左側壁パネル３０′と背壁パネル２０とを嵌合させるようにしてもよい。この場合、パネル同士を締結する際の位置決めが容易となるとともに、組立性の向上を図ることができる。
【００４８】
また、断熱ボード２１と断熱ボード３１との当接面に緩衝部材であるクッション材３１２，３１３を貼り付けておくことが好ましい。これによりクッション材３１２，３１３が弾性変形して、寸法パラツキの吸収等を行うことができ、気密性の向上を図ることができる。尚、図９では、背壁パネル２０と左側壁パネル３０′との取付状態のみを示したが、他のパネル同士を取り付ける際にも同様の構成が採用されてもよい。
【００４９】
上述した実施の形態では、各パネルは、断熱ボードと鋼板とを両面テープで接合していたが、本発明においては、接着剤で断熱材と鋼板とを接合してもよい。
【００５０】
上述した実施の形態では、鋼板を屈曲させて構成される右側壁部材６０が本体キャビネット１の構成要素であったが、かかる右側壁部材６０は必須の構成要素ではなく、本発明の本体キャビネット１では、各パネル２０，３０，４０と底壁部材５０と基台１０とにより構成されてもよい。
【符号の説明】
【００５１】
１  本体キャビネット
２  商品収容庫
５  収納室
６  機械室
１０  基台
２０  背壁パネル
２１  断熱ボード（断熱材）
２２  鋼板
３０  左側壁パネル
３１  断熱ボード（断熱材）
３２  鋼板
４０  右側壁パネル
４１  断熱ボード（断熱材）
４２  鋼板
５０  底壁部材
５１  底壁板
５２  脚片
６０  右側壁部材
６１  右側部
６２  上面部
６３  背面部
７０  天壁パネル
７１  断熱ボード（断熱材）
７２  鋼板
８０  扉体
８１  収納扉
８２  ガラス扉
Ｔ  締結材
【図１】
2015032150.tif 000003
【図２】
2015032150.tif 000004
【図３】
2015032150.tif 000005
【図４】
2015032150.tif 000006
【図５】
2015032150.tif 000007
【図６】
2015032150.tif 000008
【図７】
2015032150.tif 000009
【図８】
2015032150.tif 000010
【図９】
2015032150.tif 000011